(57)【要約】  異なるデータ信号の再送制御で用いられるプロセス番号の区別ができる。  送信部（１ａ）は、複数のキャリア（ＣＣ）を用いて、無線端末（２）にデータ信号を送信することができる。制御部（１ｂ）は、送信部（１ａ）が無線端末（２）に送信する異なるデータ信号（５ａ，５ｂ）を１つのＣＣ＃１に含めて送信する場合、異なるデータ信号（５ａ，５ｂ）のそれぞれに対応する制御信号（４ａ，４ｂ）のキャリア認識番号を格納する領域に、異なるデータ信号（５ａ，５ｂ）のそれぞれの再送制御で用いられるプロセス番号を識別するための識別情報を含める。
2013098984.tif 000002
【特許請求の範囲】
【請求項１】
無線端末と無線通信を行う基地局において、
複数のキャリアを用いて前記無線端末にデータ信号を送信することができる送信部と、
前記送信部が前記無線端末に送信する異なるデータ信号を１つのキャリアに含めて送信する場合、前記異なるデータ信号のそれぞれに対応する制御信号のキャリア認識番号を格納する領域に、前記異なるデータ信号のそれぞれの再送制御のエンティティを識別する識別情報を含める制御部と、
を有することを特徴とする基地局。
【請求項２】
前記送信部が前記異なるデータ信号を前記１つのキャリアとは別のキャリアも用いて送信する場合、前記識別情報には、前記別のキャリアを識別する情報も含まれることを特徴とする請求の範囲第１項記載の基地局。
【請求項３】
前記１つのキャリアを用いて送信される前記異なるデータ信号は、異なる無線パラメータが割り当てられることを特徴とする請求の範囲第１項記載の基地局。
【請求項４】
基地局と無線通信を行う無線端末において、
前記基地局が送信する制御信号を受信する受信部を備え、
前記基地局が異なるデータ信号を１つのキャリアに含めて送信する場合、前記受信部が受信する前記異なるデータ信号のそれぞれに対応する制御信号には、前記異なるデータ信号のそれぞれの再送制御で用いられるプロセス番号を識別する識別情報が含まれることを特徴とする無線端末。
【請求項５】
基地局と無線端末とを有する無線通信システムにおいて、
前記基地局は、
複数のキャリアを用いて前記無線端末にデータ信号を送信することができる送信部と、
前記送信部が前記無線端末に送信する異なるデータ信号を１つのキャリアに含めて送信する場合、前記異なるデータ信号のそれぞれに対応する制御信号のキャリア認識番号を格納する領域に、前記異なるデータ信号のそれぞれの再送制御のエンティティを識別する識別情報を含める制御部と、を備え、
前記無線端末は、
前記基地局が送信する前記制御信号を受信する受信部、
を備えることを特徴とする無線通信システム。
【請求項６】
無線端末と無線通信を行う基地局の無線通信方法において、
送信部によって、複数のキャリアを用いて前記無線端末にデータ信号を送信し、
前記送信部が前記無線端末に送信する異なるデータ信号を１つのキャリアに含めて送信する場合、前記異なるデータ信号のそれぞれに対応する制御信号のキャリア認識番号を格納する領域に、前記異なるデータ信号のそれぞれの再送制御のエンティティを識別する識別情報を含める、
ことを特徴とする無線通信方法。
【請求項７】
前記送信部が前記異なるデータ信号を前記１つのキャリアとは別のキャリアも用いて送信する場合、前記識別情報には、前記別のキャリアを識別する情報も含まれることを特徴とする請求の範囲第６項記載の無線通信方法。
【請求項８】
前記１つのキャリアを用いて送信される前記異なるデータ信号は、異なる無線パラメータが割り当てられることを特徴とする請求の範囲第６項記載の無線通信方法。
【請求項９】
基地局と無線通信を行う無線端末の無線通信方法において、
受信部によって、前記基地局が送信する制御信号を受信し、
前記基地局が異なるデータ信号を１つのキャリアに含めて送信する場合、前記受信部が受信する前記異なるデータ信号のそれぞれに対応する制御信号には、前記異なるデータ信号のそれぞれの再送制御で用いられるプロセス番号を識別する識別情報が含まれることを特徴とする無線通信方法。
【請求項１０】
基地局と無線端末とを有する無線通信システムの無線通信方法において、
前記基地局は、
送信部によって、複数のキャリアを用いて前記無線端末にデータ信号を送信し、
前記送信部が前記無線端末に送信する異なるデータ信号を１つのキャリアに含めて送信する場合、前記異なるデータ信号のそれぞれに対応する制御信号のキャリア認識番号を格納する領域に、前記異なるデータ信号のそれぞれの再送制御のエンティティを識別する識別情報を含め、
前記無線端末は、
前記基地局が送信する前記制御信号を受信する、
ことを特徴とする無線通信方法。
【発明の詳細な説明】
【技術分野】
【０００１】
本件は、無線通信を行う基地局、無線端末、無線通信システム、および無線通信方法に関する。
【背景技術】
【０００２】
３ＧＰＰ（3rd Generation Partnership Project）で仕様策定が行われているＬＴＥ−Ａ（Long Term Evolution-Advanced）では、ＵＬ（Up Link）とＤＬ（Down Link）のそれぞれの無線リンクにおいて、複数のＣＣ（Component Carrier）を無線端末に割り当てることが可能である。基地局が無線端末に対し、同じ遅延要求特性の複数の大サイズのデータを短時間で送信するときに、複数のＣＣを同時に使用して送信することに加え、ＣＣごとに異なる送信方式、異なる変調方式・符号化率、異なる送信パワーを適用して、異なる遅延要求特性の複数のデータを、異なるＣＣを使い同時に送信することが可能となる。【０００３】
例えば、あるＣＣでは、音声データなど、小サイズであるが遅延要求特性が高いデータを送信ダイバシティ方式により送信する。また、別のＣＣでは、ＦＴＰ（File Transfer Protocol）サーバからのデータなど、大サイズであるが遅延要求特性が緩やかなデータをＭＩＭＯ（Multiple Input Multiple Output）空間多重方式により送信する。【０００４】
無線通信に割り当てられるＣＣの数は、同じ基地局セル内において、無線端末ごとに設定でき、かつ、同一の無線端末であっても、データトラフィック量やセルの負荷に応じて変化させることが可能である。基地局は、無線端末に割り当てたＣＣの全てまたは一部を用いて、データ送信を行う。【０００５】
また、基地局は、データを送信するデータ信号と、データ信号に適用する無線パラメータ（変調方式やデータ信号の周波数軸上での位置等）を送信する制御信号とを、別のキャリアで送信することも可能である。これは、クロスキャリアスケジューリングと呼ばれる。【０００６】
クロスキャリアスケジューリングを行った場合、無線端末は、割り当てられたＣＣの数に関わらず、制御信号を受信するのに、特定の少数のＣＣ上の制御信号をモニタすればよい。例えば、基地局は、無線端末にＣＣ＃１，ＣＣ＃２の２つのＣＣを割り当てたとする。基地局は、データ信号＃１とその制御信号＃１をＣＣ＃１で送信するとする。また、基地局は、データ信号＃２をＣＣ＃２で送信し、データ信号＃２の制御信号＃２をＣＣ＃１で送信するとする。この場合、無線端末は、１つのＣＣ＃１で制御信号＃１，＃２をモニタすればよく、ＣＣ＃１でモニタした制御信号＃１，＃２に基づいて、データ信号＃１，＃２を受信できる。【０００７】
制御信号には、ＣＩＦ（Carrier Indicator Field）と呼ばれる領域がある。この領域には、ＣＣのキャリア認識番号が格納される。無線端末は、制御信号のＣＩＦに格納されているキャリア認識番号によって、その制御信号に対応するデータ信号がどのＣＣで送信されるか認識できる。【０００８】
例えば、無線端末は、ＣＣ＃１をモニタして、制御信号＃１，＃２を受信したとする。無線端末は、受信した制御信号＃１のＣＩＦに、ＣＣ＃１を示す‘＃１’が格納されている場合、制御信号＃１に対応するデータ信号＃１はＣＣ＃１で送信されると認識できる。そして、無線端末は、ＣＣ＃１で送信されるデータ信号＃１を受信できる。同様に、無線端末は、受信した制御信号＃２のＣＩＦに、ＣＣ＃２を示す‘＃２’が格納されている場合、制御信号＃２に対応するデータ信号＃２はＣＣ＃２で送信されると認識できる。そして、無線端末は、ＣＣ＃２で送信されるデータ信号＃２を受信できる。【０００９】
なお、従来、連続および／または不連続な複数の周波数帯域（キャリア要素）を複合的に使用して広帯域な周波数帯域で通信を行う際に、移動局装置における送信電力を低く抑えたデータ（情報）の送受信を行うことができる移動通信システムが提案されている（例えば、特許文献１参照）。
【先行技術文献】
【特許文献】
【００１０】
【特許文献１】特開２０１１−０３０１１８号公報
【発明の概要】
【発明が解決しようとする課題】
【００１１】
ところで、ＬＴＥ−Ａの仕様では、空間多重伝送を行わずに異なるデータ信号を異なる変調方式や符号化率で同時に送信するには、異なるＣＣの同じ無線サブフレーム上でデータ信号を同時送信する。例えば、ＱｏＳ（Quality of Service）の低いデータ信号＃１は、ＣＣ＃１で送信し、ＱｏＳの高いデータ信号＃２は、ＣＣ＃２で送信する。そして、ＣＣ＃１，＃２で異なる変調方式や符号化率を適用する。さらには、データ信号＃１とデータ信号＃２に対し、異なる送信電力密度（ｄＢｍ／Ｈｚ）を適用して送信してもよい。【００１２】
無線端末に対し個別に送信されるデータに対しては、ＨＡＲＱ（Hybrid Automatic Repeat Request）が適用される。３ＧＰＰのＬＴＥにおけるＨＡＲＱのプロセス数は８であり、ＣＣごとに独立したＨＡＲＱエンティティが存在する。データ送信に付随する制御信号には、ＨＡＲＱプロセス番号（｛１，２，３，４，５，６，７，８｝）の情報が含まれる。例えば、上記のデータ信号＃１の制御信号＃１には、データ信号＃１のＨＡＲＱプロセス番号が含まれ、データ信号＃２の制御信号＃２には、データ信号＃２のＨＡＲＱプロセス番号が含まれる。ＬＴＥ−Ａの仕様では、ＣＣごとにＨＡＲＱが独立しているので、データ信号＃１とデータ信号＃２を、異なるＣＣ＃１，ＣＣ＃２で同時に送信する時、ＨＡＲＱプロセス番号がデータ信号＃１とデータ信号＃２の間で同じになっても、受信側でデータ信号＃１とデータ信号＃２を区別することができる。【００１３】
一方、今後の仕様変更により、空間多重伝送を用いずに、異なる複数のデータ信号を１つのＣＣを用いて無線端末に送信することも考えられる。例えば、上記のＱｏＳの低いデータ信号＃１と、ＱｏＳの高いデータ信号＃２とを、同じＣＣ＃１で送信することも考えられる。そして、１つのＣＣ＃１内において、データ信号＃１，＃２を異なる周波数領域で送信するとともに、データ信号＃１とデータ信号＃２との間で変調方式や符号化率を異なるようにすることが考えられる。【００１４】
しかし、１つのＣＣで異なる複数の独立したデータ信号を送信する場合、データ信号間において、ＨＡＲＱプロセス番号が一致してしまい、データ信号間の区別ができなくなってしまう状況が発生する可能性があるという問題があった。【００１５】
例えば、ＬＴＥのＤＬにおいては、非同期型ＨＡＲＱを採用しており、あるデータ信号を再送する場合、前回に送信した時から（８＋ｎ）ｍｓ後に再送を行う（ＬＴＥのＵＬでは、あるデータ信号を再送する場合、前回に送信した時から８ｍｓ後に再送を行う）。ｎの値は、可変であり、再送ごとに異なる値になってもかまわない。同じＣＣ上で異なる複数のデータ信号を送信するとき、データ間で再送タイミングが異なると、ある無線サブフレームにおいて、同一無線端末向けの同じＨＡＲＱプロセス番号を有するデータが複数存在するようになる状況が発生しうる。このような状況では、無線端末は、同一のＨＡＲＱプロセス番号を有する複数のデータ信号の区別ができなくなる。【００１６】
本件はこのような点に鑑みてなされたものであり、異なるデータ信号の再送制御で用いられるプロセス番号の区別ができる基地局、無線端末、無線通信システム、および無線通信方法を提供することを目的とする。
【課題を解決するための手段】
【００１７】
上記課題を解決するために、無線端末と無線通信を行う基地局が提供される。この基地局は、複数のキャリアを用いて前記無線端末にデータ信号を送信することができる送信部と、前記送信部が前記無線端末に送信する異なるデータ信号を１つのキャリアに含めて送信する場合、前記異なるデータ信号のそれぞれに対応する制御信号のキャリア認識番号を格納する領域に、前記異なるデータ信号のそれぞれの再送制御のエンティティを識別するための識別情報を含める制御部と、を有する。
【発明の効果】
【００１８】
開示の装置および方法によれば、異なるデータ信号の再送制御で用いられるプロセス番号の区別ができる。
本発明の上記および他の目的、特徴および利点は本発明の例として好ましい実施の形態を表す添付の図面と関連した以下の説明により明らかになるであろう。
【図面の簡単な説明】
【００１９】
【図１】第１の実施の形態に係る無線通信システムを説明する図である。
【図２】基地局の動作を示したフローチャートである。
【図３】第２の実施の形態に係る無線通信システムを示した図である。
【図４】ＬＴＥ−ＡのＤＬ送信例を示した図のその１である。
【図５】ＬＴＥ−ＡのＤＬ送信例を示した図のその２である。
【図６】ＬＴＥ−ＡのＤＬ送信例を示した図のその３である。
【図７】ＨＡＲＱプロセス番号の区別を説明する図である。
【図８】ＨＡＲＱプロセス番号を区別できるＤＬ送信例を示した図である。
【図９】ＨＡＲＱエンティティ識別情報の例を示した図である。
【図１０】ＨＡＲＱエンティティ識別情報の他の例を示した図である。
【図１１】基地局のブロック例を示した図である。
【図１２】無線端末のブロック例を示した図である。
【図１３】基地局の動作を示したフローチャートである。
【図１４】基地局のハードウェアブロック例を示した図である。
【発明を実施するための形態】
【００２０】
以下、実施の形態を、図面を参照して詳細に説明する。
［第１の実施の形態］
図１は、第１の実施の形態に係る無線通信システムを説明する図である。図１に示すように、無線通信システムは、基地局１および無線端末２を有している。また、図１には、基地局１が無線端末２に送信する、ＤＬの無線サブフレーム３が示してある。
【００２１】
無線サブフレーム３は、制御信号領域３ａとデータ信号領域３ｂとに分けられる。制御信号領域３ａには、例えば、制御信号４ａ，４ｂが格納され、データ信号領域３ｂには、無線端末２に送信するデータ信号５ａ，５ｂが格納される。無線サブフレーム３の横方向は周波数を示し、縦方向は時間を示す。
【００２２】
制御信号４ａは、データ信号５ａの制御信号である。制御信号４ａは、例えば、データ信号５ａのデータ配置情報、データ信号５ａの再送制御で用いられるプロセス番号、データ信号５ａの変調方式、およびデータ信号５ａの制御に関するその他の情報を有している。また、制御信号４ａは、データ信号５ａの再送制御のエンティティを識別するための識別情報を有している。
【００２３】
制御信号４ｂは、データ信号５ｂの制御信号である。制御信号４ｂも制御信号４ａと同様に、例えば、データ信号５ｂのデータ配置情報、データ信号５ｂの再送制御で用いられるプロセス番号、データ信号５ｂの変調方式、およびデータ信号５ｂの制御に関するその他の情報を有している。また、制御信号４ｂは、データ信号５ｂの再送制御のエンティティを識別するための識別情報を有している。
【００２４】
再送制御は、例えば、ＨＡＲＱであり、１つのＨＡＲＱエンティティは、８個のＨＡＲＱプロセスを有している。よって、再送制御がＨＡＲＱの場合、制御信号４ａ，４ｂのプロセス番号は、例えば、１〜８の値をとる。
【００２５】
識別情報を格納する領域は、データ信号５ａ，５ｂの送信に用いるキャリア認識番号を格納する領域を用いる。例えば、識別情報を格納する領域は、制御信号４ａ，４ｂのＣＩＦを用いる。
【００２６】
基地局１は、図１に示すように、送信部１ａおよび制御部１ｂを有している。送信部１ａは、複数のキャリア（ＣＣ）を用いて、無線端末２に複数のデータ信号を同時に送信することができる。例えば、送信部１ａは、ＣＣ＃１，ＣＣ＃２を同時に用いて、無線端末２に複数のデータ信号を送信することができる。
【００２７】
制御部１ｂは、送信部１ａが無線端末２に送信する異なる複数のデータ信号を１つのキャリアに含めて送信する場合、異なるデータ信号のそれぞれに対応する制御信号の、キャリア認識番号を格納する領域に、異なるデータ信号のそれぞれの再送制御のエンティティを識別するための識別情報を含める。
【００２８】
例えば、送信部１ａは、図１の無線サブフレーム３に示すように、無線端末２に送信する異なる２つのデータ信号５ａ，５ｂを、１つのＣＣ＃１に含めて送信するとする。この場合、制御部１ｂは、異なるデータ信号５ａ，５ｂのそれぞれに対応する制御信号４ａ，４ｂの、キャリア認識番号を格納する領域に、異なるデータ信号５ａ，５ｂのそれぞれの再送制御のエンティティを識別するための識別情報を含める。
【００２９】
より具体的には、制御部１ｂは、送信部１ａが異なる２つのデータ信号５ａ，５ｂを１つのＣＣ＃１で送信する場合、１つのＣＣ＃１で同時に送信されるデータ信号５ａ，５ｂのＨＡＲＱエンティティを区別するために、制御信号４ａのＣＩＦに、例えば、‘１’を格納し、制御信号４ｂのＣＩＦに、例えば、‘２’を格納する。
【００３０】
これにより、無線端末２ａは、制御信号４ａ，４ｂに含まれる識別情報によって、１つのＣＣ＃１で送信されるデータ信号５ａ，５ｂのＨＡＲＱプロセス番号を区別することができる。例えば、無線端末２は、ＨＡＲＱエンティティを識別する識別情報‘１’のプロセス番号は、データ信号５ａのプロセス番号であり、ＨＡＲＱエンティティを識別する識別情報‘２’のプロセス番号は、データ信号５ｂのプロセス番号であると区別できる。
【００３１】
無線端末２は、受信部２ａを有している。受信部２ａは、基地局１が送信する制御信号４ａ，４ｂを受信する。無線端末２は、受信した制御信号４ａ，４ｂのデータ配置情報に基づいて、データ信号５ａ，５ｂを受信することができる。
【００３２】
なお、送信部１ａが、異なるデータ信号５ａ，５ｂを１つのＣＣ＃１で同時に送信しない場合、制御信号４ａ，４ｂのＣＩＦには、キャリア認識番号が格納される。例えば、データ信号５ａは、ＣＣ＃１で送信され、データ信号５ｂは、ＣＣ＃２で送信されるとする。この場合、データ信号５ａに対応する制御信号４ａのＣＩＦには、ＣＣ＃１を識別するための‘＃１’が格納され、データ信号５ｂに対応する制御信号４ｂのＣＩＦには、ＣＣ＃２を識別するための‘＃２’が格納される。
【００３３】
図２は、基地局の動作を示したフローチャートである。
［ステップＳ１］基地局１の制御部１ｂは、異なるデータ信号５ａ，５ｂが１つのキャリア（ＣＣ）で送信されるか否か判断する。制御部１ｂは、異なるデータ信号５ａ，５ｂが１つのＣＣで送信される場合、ステップＳ２へ進む。例えば、制御部１ｂは、図１に示すように、異なるデータ信号５ａ，５ｂが１つのＣＣ＃１で送信される場合、ステップＳ２へ進む。制御部１ｂは、異なるデータ信号５ａ，５ｂのそれぞれが異なるＣＣで送信される場合、ステップＳ３へ進む。
【００３４】
［ステップＳ２］制御部１ｂは、例えば、制御信号４ａ，４ｂのＣＩＦに、再送制御のエンティティを識別する識別情報を格納する。ＣＩＦは、１つのＣＣ＃１でデータ信号５ａ，５ｂを送信する場合、ＣＣ＃１，＃２を区別するための領域として使用しなくて済むからである。
【００３５】
［ステップＳ３］制御部１ｂは、ＣＩＦにキャリア認識番号を格納する。例えば、データ信号５ａをＣＣ＃１で送信し、データ信号５ｂをＣＣ＃２で送信するとする。この場合、データ信号５ａの制御信号４ａのＣＩＦには、例えば、ＣＣ＃１のキャリア認識番号を示す‘＃１’が格納される。データ信号５ｂの制御信号４ｂのＣＩＦには、例えば、ＣＣ＃２のキャリア認識番号を示す‘＃２’が格納される。
【００３６】
このように、基地局１は、無線端末２に送信する異なるデータ信号５ａ，５ｂを、１つのキャリア（ＣＣ＃１）に含めて送信する場合、異なるデータ信号５ａ，５ｂのそれぞれに対応する制御信号４ａ，４ｂの、キャリアの認識番号を格納する領域に、異なるデータ信号５ａ，５ｂのそれぞれの再送制御のエンティティを識別するための識別情報を含めるようにした。そして、無線端末２は、基地局１から送信される制御信号４ａ，４ｂを受信するようにした。これにより、無線端末２は、制御信号４ａ，４ｂに含まれる識別情報によって、異なるデータ信号５ａ，５ｂの再送制御で用いるプロセス番号を区別することができる。
【００３７】
［第２の実施の形態］
次に、第２の実施の形態を、図面を参照して詳細に説明する。
図３は、第２の実施の形態に係る無線通信システムを示した図である。図２に示すように、無線通信システムは、基地局１１および無線端末１２を有している。基地局１１と無線端末１２は、例えば、ＬＴＥ−Ａの無線方式によって無線通信を行う。無線端末１２は、例えば、携帯電話機やスマートフォンである。以下、基地局１１および無線端末１２について説明する前に、ＬＴＥ−Ａについて説明する。
【００３８】
図４は、ＬＴＥ−ＡのＤＬ送信例を示した図のその１である。図４には、無線サブフレームが示してある。無線サブフレームの横方向は周波数を示し、縦方向は時間を示す。１無線サブフレーム長は、１ｍｓである。
【００３９】
１無線サブフレームは、図４に示すように、制御信号領域とデータ信号領域とに分けられる。データ信号領域には、基地局から無線端末に送信されるデータ信号が格納される。制御信号領域には、データ信号の制御信号が格納される。制御信号には、例えば、対応するデータ信号の変調方式（例えば、ＱＰＳＫ（Quadrature Phase Shift Keying）や１６ＱＡＭ（Quadrature Amplitude Modulation）等）や符号化率、どの周波数軸上のどの時間帯にデータ信号を配置したかを示す無線パラメータが含まれる。無線端末は、受信した制御信号に基づいて、基地局の送信するデータ信号を受信し、復調および復号等の処理を行うことができる。
【００４０】
図４の例では、低ＱｏＳデータと高ＱｏＳデータとを有したデータ信号２１，２２がデータ信号領域に格納されている。データ信号２１の制御信号は、図示していないが、図４の上側の制御信号領域に格納され、データ信号２２の制御信号は、図４の下側の制御信号領域に格納されている。
【００４１】
ＬＴＥ−Ａの仕様では、データ品質や遅延要求等の特性が異なる複数のデータを、１つのＣＣを用いて送信することが可能である。例えば、ＱｏＳの異なる低ＱｏＳデータと高ＱｏＳデータとを１つのＣＣ＃１を用いて送信することが可能である。
【００４２】
ただし、ＬＴＥ−Ａの仕様では、１つのＣＣにおいては、１つの無線端末に対し、１つのトランスポートブロックが割り当てられる。そのため、複数のデータは、１つのＣＣにおいては、１つのトランスポートブロックに多重され、１つのデータ信号として無線端末に送信される。例えば、図４に示すように、低ＱｏＳデータと高ＱｏＳデータは、１つのトランスポートブロックに多重され、１つのデータ信号２１および１つのデータ信号２２として無線端末に送信される。
【００４３】
ＬＴＥ−Ａの仕様では、１つのＣＣにおいては、１台の無線端末宛ての１つのデータ信号に対し、１つの無線パラメータが割り当てられる。例えば、図４の例の場合、データ信号２１に対して、所定の変調方式や符号化率等が適用される。また、データ信号２２に対して、所定の変調方式や符号化率等が適用される。
【００４４】
従って、特性が異なる複数のデータを、１つのＣＣを用いて無線端末に送信する場合、複数のデータのそれぞれを、それぞれのデータ特性を考慮して送信することができない。例えば、図４の例では、低ＱｏＳデータと高ＱｏＳデータのそれぞれに対し、低ＱｏＳデータと高ＱｏＳデータの送信レートに合った送信を行うことができない。
【００４５】
図５は、ＬＴＥ−ＡのＤＬ送信例を示した図のその２である。ＬＴＥ−Ａでは、無線端末に複数のＣＣを割り当て、複数の異なるデータ信号を送信することができる。
図５には、ＣＣ＃１，＃２を無線端末に割り当て、低ＱｏＳのデータ信号をＣＣ＃１で送信し、高ＱｏＳのデータ信号をＣＣ＃２で送信する例が示してある。
【００４６】
図４で説明したように、１つのＣＣにおいては、１台の無線端末宛ての１つのデータ信号に対し、１つの無線パラメータが割り当てられる。従って、例えば、ＣＣ＃１の低ＱｏＳのデータ信号に対しては、変調度の高い変調方式を適用でき、ＣＣ＃２の高ＱｏＳのデータ信号に対しては、変調度の低い変調方式を適用できる。すなわち、異なるデータ信号を、異なるＣＣで送信することにより、異なるデータ信号の特性に合わせて送信することができる。
【００４７】
なお、図５に示すＣＣ＃１の上側の制御信号領域には、その下のデータ信号領域のデータ信号の制御信号が格納されている。ＣＣ＃１の下側の制御信号領域には、その下のデータ信号領域のデータ信号の制御信号が格納されている。
【００４８】
また、ＣＣ＃２の上側の制御信号領域には、その下のデータ信号領域のデータ信号の制御信号が格納されている。ＣＣ＃２の下側の制御信号領域には、その下のデータ信号領域のデータ信号の制御信号が格納されている。
【００４９】
図６は、ＬＴＥ−ＡのＤＬ送信例を示した図のその３である。ＬＴＥ−Ａでは、複数のＣＣで送信するデータ信号の制御信号を、例えば、１つのＣＣで送信することができる（クロスキャリアスケジューリング）。
【００５０】
図６には、ＣＣ＃１，＃２で送信される無線サブフレームが示してある。図６の例では、データ信号３２ａは、ＣＣ＃１で送信され、データ信号３２ｂは、ＣＣ＃２で送信されている。
【００５１】
制御信号３１ａは、データ信号３２ａの制御信号である。制御信号３１ａは、ＣＩＦを有している。ＣＩＦには、データ信号３２ａが送信されるＣＣ＃１のキャリア認識番号が格納される。例えば、ＣＣ＃１のキャリア認識番号を‘＃１’とする。データ信号３２ａは、ＣＣ＃１で送信されるので、制御信号３１ａのＣＩＦには、‘＃１’が格納される。
【００５２】
また、制御信号３１ａは、データ信号３２ａのデータ配置情報やＨＡＲＱプロセス番号などの無線パラメータを有している。無線パラメータは、図示していないが、データ信号３２ａの変調方式や符号化率等も含まれる。
【００５３】
制御信号３１ｂは、データ信号３２ｂの制御信号である。制御信号３１ｂは、ＣＩＦを有している。ＣＩＦには、データ信号３２ｂが送信されるＣＣ＃２のキャリア認識番号が格納される。例えば、ＣＣ＃２のキャリア認識番号を‘＃２’とする。データ信号３２ｂは、ＣＣ＃２で送信されるので、制御信号３１ｂのＣＩＦには、‘＃２’が格納される。
【００５４】
また、制御信号３１ｂは、データ信号３２ｂのデータ配置情報やＨＡＲＱプロセス番号などの無線パラメータを有している。無線パラメータは、図示していないが、データ信号３２ｂの変調方式や符号化率等も含まれる。
【００５５】
図６では、複数のＣＣ＃１，＃２で送信するデータ信号３２ａ，３２ｂの制御信号３１ａ，３１ｂを、１つのＣＣ＃１で送信している。これにより、無線端末は、１つのＣＣ＃１の制御信号３１ａ，３１ｂをモニタすればよい。すなわち、無線端末は、複数のＣＣ＃１，＃２をモニタしなくて済む。
【００５６】
ところで、ＬＴＥ−Ａの仕様にはないが、異なるデータ信号を１つのＣＣを用いて無線端末に送信することも考えられる。そして、１つのＣＣ内において、異なるデータ信号のそれぞれの変調方式や符号化率を、異なるようにすることが考えられる。
【００５７】
例えば、図６において、データ信号３２ｂを、ＣＣ＃１で送信することが考えられる。しかし、この場合、データ信号３２ａ，３２ｂのＨＡＲＱエンティティを区別できなくなる場合が生じる。
【００５８】
なお、異なるデータ信号を１つのＣＣを用いて無線端末に送信した場合、無線端末の負荷を低減することができる。例えば、図５に示すように、異なるデータ信号を異なるＣＣで送信する場合、無線端末は、２つのＣＣ＃１，＃２のＤＬ無線特性を測定し、基地局に通知することになる。これに対し、異なるデータ信号を１つのＣＣを用いて無線端末に送信する場合、無線端末は、１つのＣＣのＤＬ無線特性を測定し、基地局に通知すればよく、負荷が低減される。
【００５９】
図７は、ＨＡＲＱプロセス番号の区別を説明する図である。図７の上側に示す数字は、データ信号＃１のＨＡＲＱプロセス番号を示している。下側に示す数字は、データ信号＃２のＨＡＲＱプロセス番号を示している。ＨＡＲＱプロセス番号は、例えば、１から８まで１ずつインクリメントされ、循環する。
【００６０】
図７に示すＨＡＲＱプロセス番号の１コマは、１つの無線サブフレームに対応している。また、図７に示すバツ印は、そのＨＡＲＱプロセス番号に対応する無線サブフレームでのデータ信号の送信に失敗したことを示している。なお、データ信号＃１，＃２は、同じＣＣで送信されるとする。すなわち、データ信号＃１，＃２のそれぞれの制御信号のＣＩＦは、同じ値であるとする。
【００６１】
基地局は、例えば、ＨＡＲＱプロセス番号‘１’のデータ信号＃１を無線端末に送信したとする。そして、無線端末は、データ信号＃１の受信に失敗したとする。この場合、基地局は、通常、８ｍｓ後の無線サブフレームでデータ信号＃１を送信するが、その無線サブフレームの負荷が重く、その無線サブフレームでの再送が困難な場合、１ｍｓ後の次の無線サブフレームで再送を行う。
【００６２】
例えば、図７に示す点線枠４１は、データ信号＃２のＨＡＲＱプロセス番号‘５’の送信失敗を示している。基地局は、８ｍｓ後の無線サブフレームでの再送が困難であると判断した場合、点線枠４１の右隣に示すように、１ｍｓ後の無線サブフレームで、ＨＡＲＱプロセス番号‘５’のデータ信号＃２を再送する。
【００６３】
ところで、図７に示すデータ信号＃１，＃２のそれぞれを、異なるＣＣ＃1，＃２で送信した場合、無線端末は、点線枠４２，４３に示すように、データ信号＃１，＃２のＨＡＲＱプロセス番号が同じになっても、そのＨＡＲＱプロセス番号がどちらのデータ信号＃１，＃２のＨＡＲＱプロセス番号が区別できる。例えば、図６に示すように、データ信号３２ａ，３２ｂのそれぞれを、ＣＣ＃１，ＣＣ＃２で送信する場合、無線端末は、データ信号３２，３２ｂのＨＡＲＱプロセス番号が同じになっても、データ信号３２ａ，３２ｂのＨＡＲＱプロセス番号を区別できる。
【００６４】
しかし、図７に示すデータ信号＃１，＃２のそれぞれを、同じＣＣ＃１で送信した場合、無線端末は、点線枠４２，４３に示すように、データ信号＃１，＃２のＨＡＲＱプロセス番号が同じになると、そのＨＡＲＱプロセス番号がどちらのデータ信号＃１，＃２のＨＡＲＱプロセス番号か区別できなくなる。例えば、図１に示すように、２つのデータ信号５ａ，５ｂを、１つのＣＣ＃１で同時に送信する場合、無線端末は、データ信号５ａ，５ｂのＨＡＲＱプロセス番号が同じになると、データ信号５ａ，５ｂのＨＡＲＱプロセス番号を区別できない。
【００６５】
そこで、図２に示す基地局１１は、無線端末１２に送信する異なるデータ信号を１つのキャリアに含めて送信する場合、制御信号のＣＩＦを利用（流用）し、ＨＡＲＱプロセス番号の区別ができるようにする。
【００６６】
図８は、ＨＡＲＱプロセス番号を区別できるＤＬ送信例を示した図である。図８には、２つのＣＣ＃１，＃２で送信される無線サブフレームが示してある。図８に示すデータ信号５２ａ〜５２ｃは、基地局１１から無線端末１２に送信されるデータ信号を示している。データ信号５２ａ，５２ｂは、ＣＣ＃１で送信され、データ信号５２ｃは、ＣＣ＃２で送信されている。
【００６７】
制御信号５１ａは、データ信号５２ａの制御信号である。制御信号５１ａは、ＣＩＦを有しているが、基地局１１は、制御信号５１ａのＣＩＦに、データ信号５２ａを送信するＣＣ＃１のキャリア認識番号‘＃１’を格納しない。基地局１１は、制御信号５１ａに示すように、ＣＩＦに、データ信号５２ａのＨＡＲＱエンティティを識別するためのＨＡＲＱエンティティ識別情報を格納する。
【００６８】
また、制御信号５１ａは、データ信号５２ａのデータ配置情報やＨＡＲＱプロセス番号などの無線パラメータを有している。無線パラメータは、図示していないが、データ信号５２ａの変調方式や符号化率等も含まれる。
【００６９】
制御信号５１ｂは、データ信号５２ｂの制御信号である。制御信号５１ｂは、ＣＩＦを有しているが、基地局１１は、制御信号５１ｂのＣＩＦに、データ信号５２ｂを送信するＣＣ＃１のキャリア認識番号‘＃１’を格納しない。基地局１１は、制御信号５１ｂに示すように、ＣＩＦに、データ信号５２ｂのＨＡＲＱエンティティを識別するためのＨＡＲＱエンティティ識別情報を格納する。
【００７０】
また、制御信号５１ｂは、データ信号５２ｂのデータ配置情報やＨＡＲＱプロセス番号などの無線パラメータを有している。無線パラメータは、図示していないが、データ信号５２ｂの変調方式や符号化率等も含まれる。
【００７１】
異なるデータ信号５２ａ，５２ｂは、１つのＣＣ＃１で送信されるが、異なる無線パラメータを割り当てることができる。例えば、異なるデータ信号５２ａ，５２ｂのそれぞれの変調方式や符号化率を、異なるようにすることができる。
【００７２】
制御信号５１ｃは、データ信号５２ｃの制御信号である。制御信号５１ｃは、ＣＩＦを有しているが、基地局１１は、制御信号５１ｃのＣＩＦに、データ信号５２ｃを送信するＣＣ＃２のキャリア認識番号‘＃２’を格納しない。基地局１１は、制御信号５１ｃに示すように、ＣＩＦに、データ信号５２ｃのＨＡＲＱエンティティを識別するためのＨＡＲＱエンティティ識別情報を格納する。
【００７３】
また、制御信号５１ｃは、データ信号５２ｃのデータ配置情報やＨＡＲＱプロセス番号などの無線パラメータを有している。無線パラメータは、図示していないが、データ信号５２ｃの変調方式や符号化率等も含まれる。
【００７４】
ＣＩＦは、３ビットの領域を有している。従って、基地局１１は、３ビットのＨＡＲＱエンティティ識別情報で、異なるデータ信号のＨＡＲＱエンティティを識別する。
図８の例の場合、基地局１１は、異なるデータ信号５２ａ，５２ｂを１つのＣＣ＃１で送信するとともに、データ信号５２ｃを別のＣＣ＃２で送信する。
【００７５】
従って、ＨＡＲＱエンティティ識別情報は、１つのＣＣ＃１で送信される異なるデータ信号５２ａ，５２ｂのＨＡＲＱエンティティ（ＨＡＲＱプロセス番号）を識別するとともに、他のＣＣ＃２で送信される異なるデータ信号５２ｃのＨＡＲＱエンティティ（ＨＡＲＱプロセス番号）を識別する。すなわち、ＨＡＲＱエンティティ識別情報は、ＣＣ＃１，＃２のキャリア認識番号と、ＨＡＲＱエンティティを識別する情報とを組み合わせた３ビットの情報となる。
【００７６】
図９は、ＨＡＲＱエンティティ識別情報の例を示した図である。図９に示すＨＡＲＱエンティティ識別情報の欄の値は、制御信号のＣＩＦに格納されるＨＡＲＱエンティティ識別情報を示している。キャリア認識番号の欄の値は、データ信号が送信されるＣＣのキャリア認識番号を示している。ＨＡＲＱプロセスグループ番号は、各キャリア内におけるデータ信号のＨＡＲＱエンティティを識別するための値を示している。なお、ＣＩＦは、３ビットの領域を有しているので、ＨＡＲＱエンティティ識別情報は、最大８個とすることができる。
【００７７】
例えば、図８において、データ信号５２ａ，５２ｂは、同じＣＣ＃１で無線端末１２に送信される。従って、データ信号５２ａ，５２ｂのＨＡＲＱエンティティを識別するＨＡＲＱエンティティ識別情報は、図９の例では、少なくとも‘１〜４’のいずれかになる。すなわち、１つのＣＣに多重される異なるデータ信号のＨＡＲＱエンティティの区別は、ＨＡＲＱプロセスグループ番号で区別するようにする。
【００７８】
より具体的には、基地局１１は、図８のデータ信号５２ａのＨＡＲＱエンティティを識別する値として、ＨＡＲＱプロセスグループ番号‘１’を割り当てたとする。また、基地局１１は、データ信号５２ａと同じＣＣ＃１で送信されるデータ信号５２ｂのＨＡＲＱエンティティを識別する番号として、ＨＡＲＱプロセスグループ番号‘２’を割り当てたとする。この場合、図８に示す制御信号５１ａのＨＡＲＱエンティティ識別情報は、‘１’となる。また、制御信号５１ｂのＨＡＲＱエンティティ識別情報は、‘２’となる。
【００７９】
また、図８において、データ信号５２ｃは、ＣＣ＃２で無線端末１２に送信される。従って、データ信号５２ｃのＨＡＲＱエンティティを識別するＨＡＲＱエンティティ識別情報は、図９の例では、少なくとも‘５〜８’のいずれかになる。
【００８０】
より具体的には、基地局１１は、データ信号５２ｃのＨＡＲＱエンティティを識別する値として、ＨＡＲＱプロセスグループ番号‘５’を割り当てたとする。この場合、図８に示す制御信号５１ｃのＨＡＲＱエンティティ識別情報は、‘５’となる。
【００８１】
基地局１１は、図９に示す情報を、例えば、メモリなどの記憶装置に記憶している。無線端末１２も同様に、図９に示す情報を記憶装置に記憶している。
従って、無線端末１２は、基地局１１から受信した制御信号５１ａ〜５１ｃに含まれているＨＡＲＱプロセス番号が同じ値になっても、図９に示す情報を記憶した記憶装置を参照することにより、データ信号のＨＡＲＱエンティティを区別でき、ＨＡＲＱプロセス番号を区別できる。また、無線端末１２は、受信するデータのキャリア認識番号も知ることができる。
【００８２】
図１０は、ＨＡＲＱエンティティ識別情報の他の例を示した図である。図１０の例では、基地局１１は、異なるデータ信号を４つのＣＣを用いて送信することが可能になる。また、図１０の例では、１つのＣＣで同時に送信できる異なるデータ信号は２つとなる。
【００８３】
なお、第１の実施の形態のように、異なるデータ信号の全てを１つのＣＣで送信する場合は、ＨＡＲＱエンティティ識別情報の値と、ＨＡＲＱプロセスグループ番号の値は、例えば、同じ値となる。異なるデータ信号の全てを１つのＣＣで送信するので、キャリア認識番号の情報をＨＡＲＱエンティティ識別情報に含ませなくてよいからである。
【００８４】
例えば、図１０のキャリア認識番号の欄は、異なるデータ信号の全てを１つのＣＣで送信するので、全て同じ値となる。例えば、異なるデータ信号の全てを１つのＣＣ＃１で送信する場合、図１０のキャリア認識番号の欄は全て‘＃１’となる。そして、ＨＡＲＱプロセスグループ番号は、１〜８の値をとることができる。すなわち、ＨＡＲＱエンティティ識別情報の値と、ＨＡＲＱプロセスグループ番号の値を、同じにできる。なお、基地局１１は、１つのＣＣに８個の異なるデータ信号を多重して送信することが可能となる。
【００８５】
図１１は、基地局のブロック例を示した図である。図１１に示すように、基地局１１は、プロセス管理部６１、多重信号生成部６２ａ，６２ｂ，６３ａ，６４ａ、信号生成部６３ｂ，６４ｂ、ＳＷ（スイッチ）６５，６６、多重部６７ａ〜６７ｃ、変調部６８、およびＲＦ（Radio Frequency）部６９を有している。
【００８６】
図１１には、無線端末１２に制御信号およびデータ信号を送信するブロックが示してある。従って、基地局１１は、実際、複数の無線端末に対応する分、図１１に示すブロックを有している。
【００８７】
図１１に示すメインキャリア、セカンドキャリア、およびサードキャリアは、３つのＣＣに対応する。多重信号生成部６２ａ，６２ｂは、メインキャリアで送信される制御信号およびデータ信号を生成する。多重信号生成部６３ａおよび信号生成部６３ｂは、セカンドキャリアまたはメインキャリアで送信される制御信号およびデータ信号を生成する。多重信号生成部６４ａおよび信号生成部６４ｂは、サードキャリアまたはメインキャリアで送信される制御信号およびデータ信号を生成する。
【００８８】
プロセス管理部６１は、ＨＡＲＱエンティティ識別情報を生成する。プロセス管理部６１は、例えば、図示しないスケジューラからスケジューリング情報が入力され、そのスケジューリング情報に基づいて、ＨＡＲＱエンティティ識別情報を生成する。
【００８９】
例えば、プロセス管理部６１は、スケジューリング情報によって、図８に示すデータ信号５２ａ〜５２ｃがどのＣＣ＃１，＃２に割り当てられて送信されるか知ることができる。すなわち、プロセス管理部６１は、送信部（多重信号生成部６２ａ〜ＲＦ部６９）が無線端末１２に送信する異なるデータ信号５２ａ〜５２ｃを１つのキャリアに含めて送信するか否か知ることができる。そして、プロセス管理部６１は、例えば、図９または図１０に示す情報が記憶された記憶装置を参照して、データ信号５２ａ〜５２ｃのＨＡＲＱエンティティを識別するためのＨＡＲＱエンティティ識別情報を生成することができる。プロセス管理部６１によって生成されたＨＡＲＱエンティティ識別情報は、多重信号生成部６２ａ，６３ａ，６４ａに出力される。
【００９０】
なお、上記では、プロセス管理部６１は、ＨＡＲＱエンティティ識別情報を生成するとしたが、異なる複数のデータ信号を１つのキャリアで同時に送信しない場合は、ＣＩＦに格納するキャリア認識番号を生成し、各部に出力する。
【００９１】
多重信号生成部６２ａには、プロセス管理部６１によって生成されたＨＡＲＱエンティティ識別情報またはキャリア認識番号が入力される。また、多重信号生成部６２ａには、ユーザデータ制御信号が入力される。ユーザデータ制御信号は、例えば、無線パラメータの情報を示す信号である。多重信号生成部６２ａは、入力されたＨＡＲＱエンティティ識別情報またはキャリア認識番号と、ユーザデータ制御信号とを多重し、制御信号を生成する。例えば、多重信号生成部６２ａは、図８に示す制御信号５１ａを生成する。
【００９２】
多重信号生成部６２ｂには、ユーザ制御信号、共通制御信号、およびユーザデータが入力される。ユーザ制御信号は、例えば、無線端末１２に割り当てられたＣＣの情報を有している。従って、無線端末１２は、受信したユーザ制御信号により、自分に割り当てられたＣＣを知ることができる。なお、制御信号は、常に無線端末１２に送信しなくてよく、例えば、基地局１１と無線端末１２が初めてデータ通信するときに送信したり、ＣＣの数を変更するときに送信したりする。
【００９３】
共通制御信号は、例えば、基地局１１の送信電力や帯域幅、アンテナ数等を示すシステムパラメータである。ユーザデータは、無線端末１２に送信するユーザデータである。多重信号生成部６２ｂは、入力されたユーザ制御信号、共通制御信号、およびユーザデータを多重し、データ信号を生成する。例えば、多重信号生成部６２ｂは、図８に示すデータ信号５２ａを生成する。
【００９４】
多重信号生成部６３ａには、プロセス管理部６１によって生成されたＨＡＲＱエンティティ識別情報またはキャリア認識番号が入力される。また、多重信号生成部６３ａには、ユーザデータ制御信号が入力される。多重信号生成部６３ａは、入力されたＨＡＲＱエンティティ識別情報またはキャリア認識番号と、ユーザデータ制御信号とを多重し、制御信号を生成する。
【００９５】
信号生成部６３ｂには、無線端末１２に送信するユーザデータが入力される。信号生成部６３ｂは、入力されたユーザデータから、データ信号を生成する。
多重信号生成部６４ａには、プロセス管理部６１によって生成されたＨＡＲＱエンティティ識別情報またはキャリア認識番号が入力される。また、多重信号生成部６４ａには、ユーザデータ制御信号が入力される。多重信号生成部６４ａは、入力されたＨＡＲＱエンティティ識別情報またはキャリア認識番号と、ユーザデータ制御信号とを多重し、制御信号を生成する。
【００９６】
信号生成部６４ｂには、無線端末１２に送信するユーザデータが入力される。信号生成部６４ｂは、入力されたユーザデータから、データ信号を生成する。
ＳＷ６５は、多重信号生成部６３ａから出力される制御信号および信号生成部６３ｂから出力されるデータ信号の出力先を切り替える。ＳＷ６５は、例えば、図示しないスケジューラから出力されるスケジューリング情報に基づいて、制御信号およびデータ信号の出力先を切り替える。
【００９７】
例えば、ＳＷ６５は、多重信号生成部６３ａから出力される制御信号および信号生成部６３ｂから出力されるデータ信号を、メインキャリアで送信するというスケジューリング情報を受信したとする。この場合、ＳＷ６５は、多重信号生成部６３ａから出力される制御信号および信号生成部６３ｂから出力されるデータ信号を、多重部６７ａに出力する。また、ＳＷ６５は、多重信号生成部６３ａから出力される制御信号および信号生成部６３ｂから出力されるデータ信号を、セカンドキャリアで送信するというスケジューリング情報を受信したとする。この場合、ＳＷ６５は、多重信号生成部６３ａから出力される制御信号および信号生成部６３ｂから出力されるデータ信号を、多重部６７ｂに出力する。
【００９８】
多重信号生成部６４ａ、信号生成部６４ｂ、およびＳＷ６６は、多重信号生成部６３ａ、信号生成部６３ｂ、およびＳＷ６５と同様であり、その説明を省略する。ただし、ＳＷ６６の制御信号およびデータ信号の出力先は、メインキャリアの多重部６７ａまたはサードキャリアの多重部６７ｃとなる。
【００９９】
多重部６７ａは、多重信号生成部６２ａおよびＳＷ６５，６６から出力される制御信号を多重し、メインキャリアの制御信号領域に格納する。また、多重部６７ａは、多重信号生成部６２ｂおよびＳＷ６５，６６から出力されるデータ信号を多重し、メインキャリアのデータ信号領域に格納する。
【０１００】
多重部６７ｂは、ＳＷ６５から出力される制御信号およびデータ信号を、セカンドキャリアの制御信号領域およびデータ信号領域に格納する。多重部６７ｃは、ＳＷ６６から出力される制御信号およびデータ信号を、サードキャリアの制御信号領域およびデータ信号領域に格納する。
【０１０１】
変調部６８は、多重部６７ａ〜６７ｃから出力されるキャリアを変調する。変調部６８は、例えば、図示しないスケジューラから出力されるスケジューリング情報に基づいて、各キャリアのデータ信号を変調する。
【０１０２】
ＲＦ部６９は、変調部６８で変調されたキャリアを無線周波数に変換し、無線信号をアンテナに出力する。
なお、図１１に示す多重信号生成部６２ａ〜ＲＦ部６９は、例えば、図１の送信部１ａに対応する。また、図１１に示すプロセス管理部６１は、例えば、図１の制御部１ｂに対応する。
【０１０３】
図１２は、無線端末のブロック例を示した図である。図１２に示すように、無線端末１２は、ＲＦ部８１、復調／復号部８２、分離部８３ａ〜８３ｃ，８５ａ，８５ｂ，８６ａ，８７ａ、ＳＷ８４ａ，８４ｂ、データ抽出部８６ｂ，８７ｂ、および信号抽出部８８を有している。なお、図１２に示す分離部８５ａから出力される信号は、図１１に示す多重信号生成部６２ｂに入力される信号に対応する。分離部８５ｂから出力される信号は、図１１に示す多重信号生成部６２ａに入力される信号に対応する。また、分離部８６ａおよびデータ抽出部８６ｂから出力される信号は、図１１に示す多重信号生成部６３ａおよび信号生成部６３ｂに入力される信号に対応する。さらに、分離部８７ａおよびデータ抽出部８７ｂから出力される信号は、図１１に示す多重信号生成部６４ａおよび信号生成部６４ｂに入力される信号に対応する。
【０１０４】
ＲＦ部８１は、アンテナで受信された無線信号の周波数をベースバンドの周波数にダウンコンバートする。
復調／復号部８２には、信号抽出部８８から出力されるキャリア情報が入力される。キャリア情報は、無線端末１２に割り当てられたＣＣの情報である。復調／復号部８２は、入力されるキャリア情報に基づいて、ダウンコンバートされた無線信号を、メインキャリア、セカンドキャリア、およびサードキャリアに分離する。
【０１０５】
分離部８３ａは、メインキャリアの制御信号領域に含まれている、異なるデータ信号に対応した制御信号を分離する。例えば、３つの異なるデータ信号がメインキャリアで送信された場合、制御信号は、３つに分離される。分離されたそれぞれの制御信号は、分離部８５ｂ、ＳＷ８４ａ、またはＳＷ８４ｂに出力される。
【０１０６】
また、分離部８３ａは、メインキャリアのデータ信号領域に含まれている、異なるデータ信号を分離する。例えば、３つの異なるデータ信号がメインキャリアで送信された場合、データ信号は、３つに分離される。分離されたそれぞれのデータ信号は、分離部８５ａ、ＳＷ８４ａ、またはＳＷ８４ｂに出力される。
【０１０７】
分離部８３ｂは、セカンドキャリアの制御信号領域に含まれている制御信号と、データ信号領域に含まれているデータ信号とを分離する。分離された制御信号およびデータ信号は、ＳＷ８４ａに出力される。
【０１０８】
分離部８３ｃは、サードキャリアの制御信号領域に含まれている制御信号と、データ信号領域に含まれているデータ信号とを分離する。分離された制御信号およびデータ信号は、ＳＷ８４ｂに出力される。
【０１０９】
ＳＷ８４ａは、分離部８３ａから出力される制御信号およびデータ信号と、分離部８３ｂから出力される制御信号およびデータ信号とを切り替えて出力する。例えば、ＳＷ８４ａは、分離部８３ａから制御信号およびデータ信号が出力された場合、その制御信号およびデータ信号を分離部８６ａおよびデータ抽出部８６ｂに出力する。また、ＳＷ８４ａは、分離部８３ｂから制御信号およびデータ信号が出力された場合、その制御信号およびデータ信号を分離部８６ａおよびデータ抽出部８６ｂに出力する。
【０１１０】
ＳＷ８４ｂもＳＷ８４ａと同様である。ＳＷ８４ｂは、分離部８３ａから出力される制御信号およびデータ信号と、分離部８３ｃから出力される制御信号およびデータ信号とを切り替えて、分離部８７ａおよびデータ抽出部８７ｂに出力する。
【０１１１】
分離部８５ａは、分離部８３ａから出力されるデータ信号に含まれているユーザ制御信号、共通制御信号、およびユーザデータを分離する。
分離部８５ｂは、分離部８３ａから出力される制御信号に含まれているＨＡＲＱエンティティ識別情報またはキャリア認識番号（図示していない）と、ユーザデータ制御信号とを分離する。
【０１１２】
分離部８６ａは、ＳＷ８４ａから出力される制御信号に含まれているＨＡＲＱエンティティ識別情報またはキャリア認識番号と、ユーザデータ制御信号とを分離する。
データ抽出部８６ｂは、ＳＷ８４ａから出力されるデータ信号からユーザデータを抽出する。
【０１１３】
分離部８７ａは、ＳＷ８４ｂから出力される制御信号に含まれているＨＡＲＱエンティティ識別情報またはキャリア認識番号と、ユーザデータ制御信号とを分離する。
なお、分離部８５ｂ，８６ａ，８７ａは、分離部８３ａ〜８３ｃから出力される制御信号に基づいて、制御信号のＣＩＦに、キャリア認識番号が格納されているのかまたはＨＡＲＱエンティティ識別情報が格納されているのか判断できる。例えば、分離部８５ｂ，８６ａ，８７ａは、分離部８３ａから２つの制御信号が出力される場合、１つのＣＣ（メインキャリア）で異なるデータ信号が送信されていると判断でき、ＣＩＦには、ＨＡＲＱエンティティ識別情報が格納されていると判断できる。また、分離部８５ｂ，８６ａ，８７ａは、例えば、分離部８３ａから１つの制御信号が出力され、分離部８３ｂから１つの制御信号が出力される場合、ＣＩＦには、キャリア認識番号が格納されていると判断できる。すなわち、無線端末１２は、受信したキャリアに含まれる制御信号の数に基づいて、制御信号のＣＩＦに、キャリア認識番号が格納されているのかまたはＨＡＲＱエンティティ識別情報が格納されているのか判断できる。
【０１１４】
データ抽出部８７ｂは、ＳＷ８４ｂから出力されるデータ信号からユーザデータを抽出する。
信号抽出部８８は、ユーザ制御信号に含まれている、無線端末１２に割り当てられたＣＣの情報（キャリア情報）を抽出する。抽出されたキャリア情報は、復調／復号部８２に出力される。なお、無線端末１２は、キャリア情報に基づいて、無線測定するＣＣがどれであるか知ることができる。
【０１１５】
なお、図１２に示すＲＦ部８１〜信号抽出部８８は、例えば、図１の受信部２ａに対応する。
また、無線端末１２は、分離部８５ｂ，８６ａ，８７ａから出力されるＨＡＲＱエンティティ識別情報に基づいて、分離部８５ａおよびデータ抽出部８６ｂ，８７ｂから出力されるユーザデータのＨＡＲＱエンティティを区別することができる。
【０１１６】
図１３は、基地局の動作を示したフローチャートである。
［ステップＳ１１］基地局１１のプロセス管理部６１は、例えば、スケジューラのスケジューリング情報に基づいて、複数の異なるデータ信号を１つのキャリア（ＣＣ）で送信するか否か判断する。例えば、プロセス管理部６１は、図１や図８に示す例のように、１つのキャリアで、複数の異なるデータ信号を送信するか否か判断する。プロセス管理部６１は、複数の異なるデータ信号を１つのキャリアで送信すると判断した場合、ステップＳ１３へ進む。また、プロセス管理部６１は、複数の異なるデータ信号を１つのキャリアで送信しないと判断した場合（複数の異なるデータ信号のそれぞれを異なるキャリアで送信すると判断した場合）、ステップＳ１２へ進む。
【０１１７】
［ステップＳ１２］プロセス管理部６１は、制御信号のＣＩＦに、データ信号を送信するＣＣのキャリア認識番号を格納する。
［ステップＳ１３］プロセス管理部６１は、例えば、スケジューラのスケジューリング情報に基づいて、異なるデータ信号の全てが１つのキャリアで送信されるか否か判断する。プロセス管理部６１は、異なるデータ信号の全てが１つのＣＣで送信される場合、ステップＳ１４へ進む。また、プロセス管理部６１は、異なるデータ信号の全てが１つのＣＣで送信されない場合、ステップＳ１５へ進む。
【０１１８】
例えば、図１の例の場合、異なるデータ信号５ａ，５ｂの全てが、１つのＣＣ＃１で送信されるので、プロセス管理部６１は、ステップＳ１４へ進む。図８の例の場合、異なるデータ信号５２ａ〜５２ｃの全てが１つのＣＣ＃１で送信されないので、プロセス管理部６１は、ステップＳ１５へ進む。
【０１１９】
［ステップＳ１４］プロセス管理部６１は、制御信号のＣＩＦに、ＨＡＲＱプロセスグループ番号に対応したＨＡＲＱエンティティ識別情報を格納する。
［ステップＳ１５］プロセス管理部６１は、制御信号のＣＩＦに、キャリア認識番号とＨＡＲＱプロセスグループ番号とを組み合わせたＨＡＲＱエンティティ識別情報を格納する。
【０１２０】
図１４は、基地局のハードウェアブロック例を示した図である。図１４に示すように、基地局１１は、プロセッサ１０１、ＨＤＤ（Hard Disk Drive）１０２、ＲＡＭ（Random Access Memory）１０３、ＢＢ（BaseBand）部１０４、ＲＦ部１０５、ＩＦ（InterFace）部１０６、およびバス１０７を有している。
【０１２１】
プロセッサ１０１は、バス１０７を介して、ＨＤＤ１０２、ＲＡＭ１０３、ＢＢ部１０４、ＲＦ部１０５、およびＩＦ部１０６と接続されている。基地局１１は、プロセッサ１０１によって装置全体が制御されている。プロセッサ１０１は、例えば、ＣＰＵ（Central Processing Unit）やＤＳＰ（Digital Signal Processor）である。
【０１２２】
ＨＤＤ１０２には、ＯＳ（Operating System）のプログラムやＨＡＲＱエンティティを識別するためのＨＡＲＱエンティティ識別情報を制御信号に含めるためのプログラムが格納されている。ＲＡＭ１０３には、プロセッサ１０１の各種処理で用いられるデータやプログラムの一部または全部が一時的に格納される。
【０１２３】
ＢＢ部１０４は、無線端末１２に送信するデータおよび無線端末１２から受信するデータのＢＢ処理を行う。ＲＦ部１０５は、無線端末１２に送信する信号および無線端末１２から受信する信号の無線処理を行う。
【０１２４】
ＩＦ部１０６は、例えば、ＭＭＥ（Mobility Management Entity）など、コアネットワークに存在する装置と、例えば、有線を介して通信する。
図１に示す送信部１ａは、例えば、プロセッサ１０１、ＢＢ部１０４、およびＲＦ部１０５によってその機能が実現される。また、制御部１ｂは、例えば、プロセッサ１０１によってその機能が実現される。
【０１２５】
図１１に示すプロセス管理部６１は、例えば、プロセッサ１０１によってその機能が実現される。また、多重信号生成部６２ａ〜変調部６８は、ＢＢ部１０４によってその機能が実現される。ＲＦ部６９は、ＲＦ部１０５に対応する。
【０１２６】
無線端末１２も図１４と同様のハードウェアブロックを有する。ただし、無線端末１２は、ＩＦ部１０６を有さない。図１に示す受信部２ａは、例えば、プロセッサ１０１、ＢＢ部１０４、およびＲＦ部１０５によってその機能が実現される。
【０１２７】
このように、基地局１１は、無線端末１２に送信する異なるデータ信号を、１つのキャリアに含めて送信する場合、異なるデータ信号のそれぞれに対応する制御信号のＣＩＦに、異なるデータ信号のそれぞれのＨＡＲＱエンティティを識別するためのＨＡＲＱエンティティ識別情報を含めるようにした。そして、無線端末１２は、基地局１１から送信される制御信号を受信するようにした。これにより、無線端末１２は、制御信号に含まれるＣＩＦに格納されたＨＡＲＱエンティティ識別情報によって、異なるデータ信号のＨＡＲＱプロセス番号を独立して管理でき区別することができる。
【０１２８】
また、基地局１１は、無線端末１２に送信する異なるデータ信号を、１つのキャリアに含めて送信するとともに、別の異なるデータ信号を、別のキャリアで送信する場合、ＨＡＲＱエンティティ識別情報に、別のキャリアを識別するための情報を含ませるようにした。これにより、基地局１１は、複数の異なるデータ信号を、１つのキャリアに含めて送信できるとともに、他の異なるデータ信号を別のキャリアに含めて送信でき、無線端末１２は、それぞれのデータ信号のＨＡＲＱプロセス番号を独立して管理でき区別することができる。
【０１２９】
また、基地局１１は、無線端末１２に１つのＣＣを割り当てる場合でも、複数のＣＣを割り当てた場合と同様に、異なるデータ信号を１つのＣＣ上の同一無線サブフレームで送信することができる。そして、基地局１１は、例えば、異なるデータ信号間でＨＡＲＱプロセス番号の一致を避けるような管理をしなくて済み、時間領域での柔軟なデータ信号の送信スケジューリングが可能になる。
【０１３０】
また、無線端末１２は、無線測定を行うべきＣＣの数を減らせるので、無線測定処理に起因する無線端末１２の消費電力を低減できる。また、無線端末１２は、基地局１１に報告する無線測定結果の量が減らせるので、ＵＬで使用される無線リソース量の低減と、ＵＬでの送信に起因する消費電力を低減できる。
【０１３１】
さらに、複数のＣＣが割り当てられることができる無線端末１２には、ＣＣのキャリア認識番号が制御信号のＣＩＦに含められるが、１つのＣＣが割り当てられる場合には、ＣＩＦは他の目的に使用することができる。基地局１１は、このＣＩＦをＨＡＲＱエンティティの識別に用いることにより、ＣＩＦの有効利用が可能となる。また、基地局１１は、ＨＡＲＱプロセス番号を識別するための情報を、無線端末１２に通知するために使用する無線リソースを新たに追加しなくて済む。
【０１３２】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【０１３３】
１  基地局
１ａ  送信部
１ｂ  制御部
２  無線端末
２ａ  受信部
３  無線サブフレーム
３ａ  制御信号領域
３ｂ  データ信号領域
４ａ，４ｂ  制御信号
５ａ，５ｂ  データ信号
【図１】
2013098984.tif 000003
【図２】
2013098984.tif 000004
【図３】
2013098984.tif 000005
【図４】
2013098984.tif 000006
【図５】
2013098984.tif 000007
【図６】
2013098984.tif 000008
【図７】
2013098984.tif 000009
【図８】
2013098984.tif 000010
【図９】
2013098984.tif 000011
【図１０】
2013098984.tif 000012
【図１１】
2013098984.tif 000013
【図１２】
2013098984.tif 000014
【図１３】
2013098984.tif 000015
【図１４】
2013098984.tif 000016
【手続補正書】
【提出日】平成26年2月10日(2014.2.10)
【手続補正１】
【補正対象書類名】特許請求の範囲
【補正対象項目名】全文
【補正方法】変更
【補正の内容】
【特許請求の範囲】
【請求項１】
無線端末と無線通信を行う基地局において、
複数のキャリアを用いて前記無線端末にデータ信号を送信することができる送信部と、
前記送信部が前記無線端末に送信する異なるデータ信号を１つのキャリアに含めて送信する場合、前記異なるデータ信号のそれぞれに対応する制御信号のキャリア認識番号を格納する領域に、前記異なるデータ信号のそれぞれの再送制御のエンティティを識別する識別情報を含める制御部と、
を有することを特徴とする基地局。
【請求項２】
前記送信部が前記異なるデータ信号を前記１つのキャリアとは別のキャリアも用いて送信する場合、前記識別情報には、前記別のキャリアを識別する情報も含まれることを特徴とする請求項１記載の基地局。
【請求項３】
前記１つのキャリアを用いて送信される前記異なるデータ信号は、異なる無線パラメータが割り当てられることを特徴とする請求項１記載の基地局。
【請求項４】
基地局と無線通信を行う無線端末において、
前記基地局が送信する制御信号を受信する受信部を備え、
前記基地局が異なるデータ信号を１つのキャリアに含めて送信する場合、前記受信部が受信する前記異なるデータ信号のそれぞれに対応する制御信号には、前記異なるデータ信号のそれぞれの再送制御で用いられるプロセス番号を識別する識別情報が含まれることを特徴とする無線端末。
【請求項５】
基地局と無線端末とを有する無線通信システムにおいて、
前記基地局は、
複数のキャリアを用いて前記無線端末にデータ信号を送信することができる送信部と、
前記送信部が前記無線端末に送信する異なるデータ信号を１つのキャリアに含めて送信する場合、前記異なるデータ信号のそれぞれに対応する制御信号のキャリア認識番号を格納する領域に、前記異なるデータ信号のそれぞれの再送制御のエンティティを識別する識別情報を含める制御部と、を備え、
前記無線端末は、
前記基地局が送信する前記制御信号を受信する受信部、
を備えることを特徴とする無線通信システム。
【請求項６】
無線端末と無線通信を行う基地局の無線通信方法において、
送信部によって、複数のキャリアを用いて前記無線端末にデータ信号を送信し、
前記送信部が前記無線端末に送信する異なるデータ信号を１つのキャリアに含めて送信する場合、前記異なるデータ信号のそれぞれに対応する制御信号のキャリア認識番号を格納する領域に、前記異なるデータ信号のそれぞれの再送制御のエンティティを識別する識別情報を含める、
ことを特徴とする無線通信方法。
【請求項７】
前記送信部が前記異なるデータ信号を前記１つのキャリアとは別のキャリアも用いて送信する場合、前記識別情報には、前記別のキャリアを識別する情報も含まれることを特徴とする請求項６記載の無線通信方法。
【請求項８】
前記１つのキャリアを用いて送信される前記異なるデータ信号は、異なる無線パラメータが割り当てられることを特徴とする請求項６記載の無線通信方法。
【請求項９】
基地局と無線通信を行う無線端末の無線通信方法において、
受信部によって、前記基地局が送信する制御信号を受信し、
前記基地局が異なるデータ信号を１つのキャリアに含めて送信する場合、前記受信部が受信する前記異なるデータ信号のそれぞれに対応する制御信号には、前記異なるデータ信号のそれぞれの再送制御で用いられるプロセス番号を識別する識別情報が含まれることを特徴とする無線通信方法。
【請求項１０】
基地局と無線端末とを有する無線通信システムの無線通信方法において、
前記基地局は、
送信部によって、複数のキャリアを用いて前記無線端末にデータ信号を送信し、
前記送信部が前記無線端末に送信する異なるデータ信号を１つのキャリアに含めて送信する場合、前記異なるデータ信号のそれぞれに対応する制御信号のキャリア認識番号を格納する領域に、前記異なるデータ信号のそれぞれの再送制御のエンティティを識別する識別情報を含め、
前記無線端末は、
前記基地局が送信する前記制御信号を受信する、
ことを特徴とする無線通信方法。
【国際調査報告】
2013098984.tif 000017
2013098984.tif 000018
2013098984.tif 000019
2013098984.tif 000020